(57)【要約】【課題】  ドアパネル内のスペースを有効に利用できるウインドレギュレータを提供することを課題とする。【解決手段】  ウインドガラス８１の前後方向の一方の側に設けられた第１ワイヤ固定部材１０１と、ウインドガラスの前後方向の他方の側に設けられた第２ワイヤ固定部材１１１と、フロントフレーム５３、リアフレーム５５では、同じ方向に移動するように、フロントフレーム５３、アッパフレーム１０３、リアフレーム５５に沿って配設され、第１ワイヤ固定部材１０１、第２ワイヤ固定部材１１１に接続されたワイヤ１３１、９５、９６と、ドアのドアパネル内に設けられ、ワイヤ９５，９６が巻回され、ワイヤ９５，９６を進退させるドラム９３とを有し、ベルトラインＢＬより上では、ワイヤ１３１はガラスラン内に設けられると共に、ベルトラインＢＬを横切る第２ワイヤ固定部材１１１は、ガラスラン内に設ける。【選択図】      図１
2005113560.tif 000002
【特許請求の範囲】
【請求項１】
ドアの前後方向の一方の側に設けられ、ウインドガラスの昇降方向に延び、前記ウインドガラスの表面、裏面に当接して、前記ウインドガラスを保持する２つのリップが一体的に形成されたガラスランが設けられた第１フレームと、
前記ドアの前後方向の他方の側に設けられ、前記ウインドガラスの昇降方向に延び、前記ウインドガラスの表面、裏面に当接して、前記ウインドガラスを保持する２つのリップが一体的に形成されたガラスランが設けられた第２フレームと、
前記第１フレームの上部と前記第２フレームの上部とを橋渡しするように設けられ、前記ウインドガラスの表面、裏面に当接して、前記ウインドガラスを保持する２つのリップが一体的に形成されたガラスランが設けられたアッパフレームと、
前記ウインドガラスの前後方向の一方の側に設けられた第１ワイヤ固定部材と、
前記ウインドガラスの前後方向の他方の側に設けられた第２ワイヤ固定部材と、
前記第１フレーム、前記第２フレームでは、同じ方向に移動するように、前記第１フレーム、前記アッパフレーム、前記第２フレームに沿って配設され、前記第１ワイヤ固定部材、前記第２ワイヤ固定部材に接続されたワイヤと、
前記ドアのドアパネル内に設けられ、前記ワイヤが巻回され、前記ワイヤを進退させるドラムと、
を有し、
ベルトラインより上では、前記ワイヤは前記ガラスラン内に設けられると共に、前記第１ワイヤ固定部材、前記第２ワイヤ固定部材のうち、前記ベルトラインを横切るワイヤ固定部材は、前記ガラスラン内に設けたことを特徴とするウインドレギュレータ。
【請求項２】
前記第１ワイヤ固定部材、前記第２ワイヤ固定部材のうち、前記ベルトラインを横切るワイヤ固定部材は、
ウインドガラスに当接する面を有する頭部，該頭部に連接され、前記ウインドガラスに形成された穴を挿通し、周面におねじが形成された首部からなるボルトと、
ウインドガラスに当接する面を有する頭部，該頭部に連接され、前記ボルトの首部が螺合するめねじ穴からなるナットとからなり、
前記ボルトの頭部の前記ウインドガラスに当接する面の形状、前記ナットの頭部の前記ウインドガラスに当接する面の形状は、前記ワイヤに沿った方向の長さが、前記ワイヤと直交する方向の長さより長くなるように設定したことを特徴とする請求項１記載のウインドレギュレータ。
【請求項３】
前記ボルトの頭部の前記ウインドガラスに当接する面の形状、前記ナットの頭部の前記ウインドガラスに当接する面の形状のうち、前記ワイヤと直交する方向の長さは前記首部の径と略同じことを特徴とする請求項２記載のウインドレギュレータ。
【発明の詳細な説明】
【技術分野】
【０００１】
本発明は、車両に設けられるワイヤ式ウインドレギュレータに関する。
【背景技術】
【０００２】
（１）第１の従来例
図８を用いて説明する。図８は従来のウインドレギュレータを示す図である。図において、ウインドガラス１の前部には、ウインドガラス１の昇降方向に延びるガイドレール３が設けられている。ウインドガラス１の後部には、ウインドガラス１の昇降方向に延びるガイドレール５が設けられている。
【０００３】
ウインドガラス１の前部には、ガイドレール３に移動可能に係合するローラ７が、ウインドガラス１の後部にはガイドレール５に移動可能に係合するローラ９、ローラ１１が設けられている。
【０００４】
ドアパネル内には、ウインドガラス１の昇降方向に延びるガイドレール１３が設けられている。このガイドレール１３には、ウインドガラス１の下部中央に設けられたスライダ１５が移動可能に係合している。ガイドレール１３の上部にはプーリ１７が、ガイドレール１３の下部にはプーリ１９が設けられている。そして、ワイヤ２３の中間部がドラム２１に巻回され、一方の端部側がプーリ１７を介してスライダ１５に取り付けられ、他方の端部がプーリ１９を介してスライダ１５に取り付けられている。
【０００５】
従って、ドラム２１を回転させ、ワイヤ２３を進退させることで、ウインドガラス１が昇降する（例えば、特許文献１参照）。
（２）第２の従来例
図９を用いて説明する。図９は従来のウインドレギュレータを示す図である。
【０００６】
図において、ドアパネル内の上部にはプーリ３１、プーリ３３が設けられ、ドアパネル内の下部にはプーリ３５、プーリ３７がもうけられている。ワイヤ３９の中間部はプーリ３５、プーリ３１、プーリ３７、プーリ３３の順でＮ字形に掛け渡され、更に、ドラム４１に巻回されている。そして、ウインドガラス４３の下部が、図示しないブラケットを介してプーリ３１とプーリ３５との間のワイヤ、プーリ３３とプーリ３７との間のワイヤにそれぞれ取り付けられている。
【０００７】
従って、ドラム４１を回転させ、ワイヤ２３を進退させることで、ウインドガラス４３が昇降する（例えば、特許文献２参照）。
【特許文献１】特開平４−２７０９３号公報（第３頁、第１図）
【特許文献２】特開昭６３−６０３８３号公報（第４頁、第７図）
【発明の開示】
【発明が解決しようとする課題】
【０００８】
図８に示す構成のウインドレギュレータでは、ドアパネル内にガイドレール１３、ドラム２１、ワイヤ２３が設けられ、ドアパネル内のスペースを有効に使用できない問題点がある。
【０００９】
図９に示す構成のウインドレギュレータでも、ドアパネル内全域にわたって、Ｎ字形に掛け渡されたワイヤ３９が配置されているので、ドアパネル内のスペースを有効に使用できない問題点がある。
【００１０】
又、図９に示す構成のウインドレギュレータではワイヤ３９が交差しているので、振動等でワイヤ３９がばたつくと、ワイヤ３９同士の干渉音が発生する問題点がある。
【００１１】
本発明は、上記問題点に鑑みてなされたもので、その課題は、ドアパネル内のスペースを有効に利用できるウインドレギュレータを提供することにある。
【課題を解決するための手段】
【００１２】
上記課題を解決する請求項１に係る発明は、ドアの前後方向の一方の側に設けられ、ウインドガラスの昇降方向に延び、前記ウインドガラスの表面、裏面に当接して、前記ウインドガラスを保持する２つのリップが一体的に形成されたガラスランが設けられた第１フレームと、前記ドアの前後方向の他方の側に設けられ、前記ウインドガラスの昇降方向に延び、前記ウインドガラスの表面、裏面に当接して、前記ウインドガラスを保持する２つのリップが一体的に形成されたガラスランが設けられた第２フレームと、前記第１フレームの上部と前記第２フレームの上部とを橋渡しするように設けられ、前記ウインドガラスの表面、裏面に当接して、前記ウインドガラスを保持する２つのリップが一体的に形成されたガラスランが設けられたアッパフレームと、前記ウインドガラスの前後方向の一方の側に設けられた第１ワイヤ固定部材と、前記ウインドガラスの前後方向の他方の側に設けられた第２ワイヤ固定部材と、前記第１フレーム、前記第２フレームでは、同じ方向に移動するように、前記第１フレーム、前記アッパフレーム、前記第２フレームに沿って配設され、前記第１ワイヤ固定部材、前記第２ワイヤ固定部材に接続されたワイヤと、前記ドアのドアパネル内に設けられ、前記ワイヤが巻回され、前記ワイヤを進退させるドラムと有し、ベルトラインより上では、前記ワイヤは前記ガラスラン内に設けられると共に、前記第１ワイヤ固定部材、前記第２ワイヤ固定部材のうち、前記ベルトラインを横切るワイヤ固定部材は、前記ガラスラン内に設けたことを特徴とするウインドレギュレータである。
【００１３】
ウインドガラスの表面、裏面に、第１フレーム、第２フレーム、アッパフレームに設けられたガラスランの２つのリップが当接し、ドアガラスは保持される。ドラムを回転し、ワイヤを進退させると、ウインドガラスが昇降する。
【００１４】
請求項２に係る発明は、前記第１ワイヤ固定部材、前記第２ワイヤ固定部材のうち、前記ベルトラインを横切るワイヤ固定部材は、ウインドガラスに当接する面を有する頭部，該頭部に連接され、前記ウインドガラスに形成された穴を挿通し、周面におねじが形成された首部からなるボルトと、ウインドガラスに当接する面を有する頭部，該頭部に連接され、前記ボルトの首部が螺合するめねじ穴からなるナットとからなり、前記ボルトの頭部の前記ウインドガラスに当接する面の形状、前記ナットの頭部の前記ウインドガラスに当接する面の形状は、前記ワイヤに沿った方向の長さが、前記ワイヤと直交する方向の長さより長くなるように設定したことを特徴とする請求項１記載のウインドレギュレータである。
【００１５】
ウインドガラスの穴を挿通したボルトの首部がナットのめねじに螺合することで、第１ワイヤ固定部材、第２ワイヤ固定部材のウインドガラスへの取付が行われる。
【００１６】
そして、ウインドガラスを昇降する際には、ワイヤ→第１ワイヤ固定部材、第２ワイヤ固定部材→ウインドガラスの順に力が伝達される。更に詳しくは、ウインドガラスには、第１ワイヤ固定部材、第２ワイヤ固定部材のウインドガラスと当接する面を介して力が作用する。
【００１７】
又、ワイヤの移動方向と平行で、ウインドガラスに対して直交する平面上でみると、第１ワイヤ固定部材、第２ワイヤ固定部材に作用するワイヤからの力と、ウインドガラスに作用する重力とは、異なる線分上にあるので、ウインドガラスにはモーメントが発生する。このため、第１ワイヤ固定部材、第２ワイヤ固定部材のウインドガラスとの当接面のワイヤの方向の縁部からウインドガラスへ力が作用する。
【００１８】
請求項３に係る発明は、前記ボルトの頭部の前記ウインドガラスに当接する面の形状、前記ナットの頭部の前記ウインドガラスに当接する面の形状のうち、前記ワイヤと直交する方向の長さは前記首部の径と略同じことを特徴とする請求項２記載のウインドレギュレータである。
【発明の効果】
【００１９】
請求項１に係る発明によれば、ウインドガラスを昇降させるために機能する構成、すなわち、ワイヤは第１フレーム、アッパフレーム、第２フレームに沿って配設される。そして、ドアフレーム内にはワイヤを進退させるドラムとドラムに向かうワイヤとしかないので、ドアパネル内を有効に利用できる。
【００２０】
ベルトラインより上では、ウインドガラスを昇降させるために機能する構成、すなわち、ワイヤは第１フレーム、アッパフレーム、第２フレームのガラスラン内に配設され、ワイヤ固定部材もガラスラン内に配設される。よって、見栄えがよい。
【００２１】
ベルトラインを横切るワイヤ固定部材は、ガラスラン内に設けられることにより、ワイヤ固定部材とベルトモール（ベルトラインに設けられ、ドアインナパネル、ドアアウタパネル内に雨水が浸入するのを防止するウエザストリップ）との干渉がなくなる。よって、ウインドガラスを昇降させる際に、ワイヤ固定部材がベルトモールと干渉して異音が発生するのを防止できる。更に、ウインドレギュレータがパワー式の場合、ウインドガラスを上昇させる際に、ワイヤ固定部材とベルトモールとの干渉により安全装置が作動してウインドガラスが下降するのを防止できる。
【００２２】
ここで、第１ワイヤ固定部材、第２ワイヤ固定部材に入力する力の方向は、ワイヤの引張方向であり、それ以外の方向の力は入力されない。
【００２３】
請求項２に係る発明によれば、  前記第１ワイヤ固定部材、前記第２ワイヤ固定部材のうち、前記ベルトラインを横切るワイヤ固定部材は、ウインドガラスに当接する面を有する頭部，該頭部に連接され、前記ウインドガラスに形成された穴を挿通し、周面におねじが形成された首部からなるボルトと、ウインドガラスに当接する面を有する頭部，該頭部に連接され、前記ボルトの首部が螺合するめねじ穴からなるナットとからなり、前記ボルトの頭部の前記ウインドガラスに当接する面の形状、前記ナットの頭部の前記ウインドガラスに当接する面の形状は、前記ワイヤに沿った方向の長さが、前記ワイヤと直交する方向の長さより長くなるように設定したことにより、ウインドガラスへ作用する力が小さくなり、ウインドガラスの破損を防止できる。更に、前記ボルトの頭部の前記ウインドガラスに当接する面の形状、前記ナットの頭部の前記ウインドガラスに当接する面の形状は、前記ワイヤに沿った方向の長さが、前記ワイヤと直交する方向の長さより長くなるように設定したことにより、ガラスランの断面形状、更には、第１フレーム、第２フレームの断面形状を小さくすることができ、見栄えも向上する。
【００２４】
請求項３に係る発明によれば、前記ボルトの頭部の前記ウインドガラスに当接する面の形状、前記ナットの頭部の前記ウインドガラスに当接する面の形状のうち、前記ワイヤと直交する方向の長さは前記首部の径と略同じことにより、ガラスランの断面形状、更には、第１フレーム、第２フレームの断面形状を一番小さくすることができ、更に見栄えも向上する。
【発明を実施するための最良の形態】
【００２５】
以下、図面を用いて本発明を実施するための最良の形態を説明する。図１は本発明の実施の形態例のウインドレギュレータの構成図、図２は図１の切断線Ａ−Ａでの断面図、図３は図１の切断線Ｂ−Ｂでの断面図、図４は図１の切断線Ｃ−Ｃでの断面図、図５は図１の切断線Ｄ−Ｄでの断面図、図６は図１の切断線Ｅ−Ｅでの断面図である。
【００２６】
図１において、ＢＬはドアのベルトラインを示している。ドアの前側には、ウインドガラス５１の昇降方向に延びる第１フレームとしてのフロントフレーム５３が設けられている。ドアの後側には、ウインドガラス５１の昇降方向に延びる第２フレームとしてのリアフレーム５５が設けられている。フロントフレーム５３の上部とリアフレーム５５の上部とは、アッパフレーム１０３で橋渡しされている。
【００２７】
図２〜図６に示すように、フロントフレーム５３、リアフレーム５５、アッパフレーム１０３の断面形状は、異なるが、いずれも外部に露出する意匠部６１、閉断面形状の袋部６３、ガラスラン７１が設けられるガラスラン取付部６５を有している。フロントフレーム５３、リアフレーム５５、アッパフレーム１０３のガラスラン取付部６５に取付けられるガラスラン７１は、ウインドガラス８１の表面に当接するリップ７３と、ウインドガラス８１の裏面に当接するリップ７５とが一体的に形成されている。ガラスラン７１の断面形状は、断面コの字形等様々な形状があるが限定するものではない。
【００２８】
ウインドガラス８１の前側の下部には、第１ワイヤ固定部材１０１が、ウインドガラス８１の後側上部には、第２ワイヤ固定部材１１１がそれぞれ取付けられている。
【００２９】
本形態例では、第２ワイヤ固定部材１１１は、ベルトラインＢＬを横切るように設定され、第２ワイヤ固定部材１１１は、リアフレーム１１１のガラスラン７１内に設けられている。
【００３０】
ＢＬ（ベルトライン）より下に配置されるドアパネル内には、モータ９１によって回転駆動されるドラム９３が設けられている。このドラム９３には、２本のワイヤ９５、ワイヤ９６が巻回されている。更に、ドラム９３を一方の方向に回転させると、ワイヤ９５は繰り出され、ワイヤ９６は巻き取られるようにワイヤ９５、ワイヤ９６は巻回されている。
【００３１】
ワイヤ９５の先端部側はフロントフレーム５３の上部に設けられたプーリ９７を介してフロントフレーム５３に沿って下方に延び、第１ワイヤ固定部材１０１に接続されている。又、ワイヤ９６の先端部側はリアフレーム５５に設けられたガイド９９を介してリアフレーム５５のガラスラン７１内に入り、第２ワイヤ固定部材１１１に接続されている。
【００３２】
又、第１ワイヤ固定部材１０１には、ワイヤ１３１が接続され、このワイヤ１３１は、フロントフレーム５３の下部に設けられたガイド９７を介してフロントフレーム５３のガラスラン７１内に入り、上方に延びる。ワイヤ１３１はアッパフレーム１０３のガラスラン７１内を通り、リアフレーム５５のガラスラン７１内を通り、第２ワイヤ固定部材１１１に接続されている。
【００３３】
尚、ワイヤ１３１がガラスラン７１から容易に離脱しやすい箇所には、図３〜図５に示すように、ガラスラン７１には、ワイヤ１３１が係合し、ガラスラン７１から離脱するのを防止する溝７２が形成されている。
【００３４】
次に、第１ワイヤ固定部材１０１、第２ワイヤ固定部材１１１の説明を行う。尚、本形態例では、第１ワイヤ固定部材１０１、第２ワイヤ固定部材１１１の構成は同じなので、ベルトラインを横切る第２ワイヤ固定部材１１１を図７を用いて説明する。
【００３５】
図７（ａ）に示すように、第２ワイヤ固定部材１１１は、ワイヤ１３１、ワイヤ９６が接続され、ウインドガラス８１に当接する面を有する頭部１１３と、頭部１１３に連接され、ウインドガラス８１に形成された穴８１ａを挿通し、周面におねじが形成された首部１１５とからなるボルト１１７と、ウインドガラス８１に当接する面を有する頭部１１９と、頭部１１９に連接され、ウインドガラス８１に形成された穴８１ａを挿通し、ボルト１１７の首部１１５が螺合するめねじ穴１２１が形成された首部１２３とからなるナット１２５とからなっている。
【００３６】
そして、ボルト１１７の頭部１１３のウインドガラス８１に当接する面の形状、ナット１２５の頭部１１９のウインドガラス８１に当接する面の形状は、ワイヤ１３１に沿った方向の長さが、ワイヤ１３１と直交する方向の長さより長くなるように設定した。更に、本形態例では、ボルト１１７の頭部１１３のウインドガラス８１に当接する面の形状、ナット１２５の頭部１１９のウインドガラス８１に当接する面の形状のうち、ワイヤ１３１と直交する方向の長さは、ボルト１１７にあっては首部１１５、ナット１２５にあっては首部１２３の径と略同じになるように設定した。
【００３７】
次に上記構成の作動を説明する。ウインドガラス８１が全閉状態である図１において、モータ９１を用いてドラム８３を矢印方向に回転させると、ワイヤ９５がドラム９３から繰り出され、ワイヤ９６がドラム９３に巻き取られる。従って、第１ワイヤ固定部材１０１、第２ワイヤ固定部材１１１は下降し、ウインドガラス８１も下降する。この下降はウインドガラス８１がベルトラインＢＬより下側に位置する全開状態まで可能である。
【００３８】
又、ウインドガラス８１が開状態の場合、モータ９１を用いてドラム９３を矢印方向と反対方向に回転させると、ワイヤ９５がドラム９３に巻き取られ、ワイヤ９６がドラム９３から繰り出される。この場合、第１ワイヤ固定部材１０１、第２ワイヤ固定部材１１１が上昇し、ウインドガラス８１も上昇する。
【００３９】
このような構成のウインドレギュレータにおいては、以下のような効果を得ることができる。
（１）ウインドガラス８１を昇降させるために機能する構成、すなわち、ワイヤ９５、ワイヤ９６、ワイヤ１３１、第１ワイヤ固定部材１０１、第２ワイヤ固定部材１１１は、フロントフレーム５３、アッパフレーム１０３、リアフレーム５５に沿って設けられ、ドアフレーム内にはワイヤを進退させるドラム９３とドラム９３に向かうワイヤ９５、ワイヤ９６としかないので、ドアパネル内を有効に利用できる。
（２）ベルトラインＢＬより上では、ウインドガラス８１を昇降させるために機能する構成、すなわち、ワイヤ１３１はフロントフレーム５３、アッパフレーム１０３、リアフレーム５５のガラスラン７１内に配設され、第２ワイヤ固定部材１１１もガラスラン７１内に配設される。よって、見栄えがよい。
（３）ベルトラインＢＬを横切る第２ワイヤ固定部材１１１は、ガラスラン７１内に設けられることにより、第２ワイヤ固定部材１１１とベルトモール（ベルトラインに設けられ、ドアインナパネル、ドアアウタパネル内に雨水が浸入するのを防止するウエザストリップ）との干渉がなくなる。よって、ウインドガラス８１を昇降させる際に、第２ワイヤ固定部材１１１がベルトモールと干渉して異音が発生するのを防止できる。更に、ウインドレギュレータがパワー式の場合、ウインドガラス８１を上昇させる際に、第２ワイヤ固定部材１１１とベルトモールとの干渉により安全装置が作動してウインドガラスが下降するのを防止できる
（４）ウインドガラス８１を昇降する際には、ワイヤ９６，１３１→第２ワイヤ固定部材１１１→ウインドガラス８１の順に力が伝達される。更に詳しくは、ウインドガラス８１には、第２ワイヤ固定部材１１１のウインドガラス８１と当接する面を介して力が作用する。
【００４０】
又、ワイヤの移動方向と平行で、ウインドガラス８１に対して直交する平面上でみると、図７（ｂ）に示すように、第２ワイヤ固定部材１１１に作用するワイヤ１３１、９６からの力（Ｔ）と、ウインドガラス８１に作用する重力（Ｗ）とは、異なる線分上にあるので、ウインドガラス８１にはモーメントが発生する。このため、第２ワイヤ固定部材１１１のウインドガラス８１との当接面のワイヤの方向の縁部（作用点）からウインドガラス８１へ力が作用する。一方、第２ワイヤ固定部材１１１に入力する力の方向は、ワイヤの引張方向であり、それ以外の方向の力は入力されない。本形態例では、ボルト１１７の頭部１１３のウインドガラス８１に当接する面の形状、ナット１２５の頭部１１９のウインドガラス８１に当接する面の形状は、ワイヤ１３１に沿った方向の長さが、ワイヤ１３１と直交する方向の長さより長くなるように設定したことにより、ウインドガラス８１へ作用する力が小さくなり、ウインドガラス８１の破損を防止できる。
【００４１】
尚、本形態例では、第１ワイヤ固定部材１０１も第２ワイヤ固定部材１１１と同じ構造なので、同じ効果を得ることができる。
【００４２】
更に、ボルト１１７の頭部１１３のウインドガラス８１に当接する面の形状、ナット１２５の頭部１１９のウインドガラス８１に当接する面の形状は、ワイヤ１３１に沿った方向の長さが、ワイヤ１３１と直交する方向の長さより長くなるように設定したことにより、ガラスラン７１の断面形状、更には、フロントフレーム５３、リアフレーム５５の断面形状を小さくすることができ、見栄えも向上する。又、本形態例では、ボルト１１７の頭部１１３のウインドガラス８１に当接する面の形状、ナット１２５の頭部１１９のウインドガラス８１に当接する面の形状のうち、ワイヤ１３１と直交する方向の長さは、ボルト１１７にあっては首部１１５、ナット１２５にあっては首部１２３の径と略同じになるように設定したことにより、ガラスラン７１の断面形状、更には、フロントフレーム５３、リアフレーム５５の断面形状を一番小さくすることができ、更に見栄えも向上する。
【図面の簡単な説明】
【００４３】
【図１】本発明の実施の形態例のウインドレギュレータの構成図である。
【図２】図１の切断線Ａ−Ａでの断面図である。
【図３】図１の切断線Ｂ−Ｂでの断面図である。
【図４】図１の切断線Ｃ−Ｃでの断面図である。
【図５】図１の切断線Ｄ−Ｄでの断面図である。
【図６】図１の切断線Ｅ−Ｅでの断面図である
【図７】第２ワイヤ固定部材を説明する図である。
【図８】第１の従来例を説明する図である。
【図９】第２の従来例を説明する図である。
【符号の説明】
【００４４】
５３  フロントフレーム（第１フレーム）
５５  リアフレーム（第２フレーム）
７１  ガラスラン
９５、９６、１３１  ワイヤ
１０１  第１ワイヤ固定部材
１０３  アッパフレーム
１１１  第１ワイヤ固定部材
【図１】
2005113560.tif 000003
【図２】
2005113560.tif 000004
【図３】
2005113560.tif 000005
【図４】
2005113560.tif 000006
【図５】
2005113560.tif 000007
【図６】
2005113560.tif 000008
【図７】
2005113560.tif 000009
【図８】
2005113560.tif 000010
【図９】
2005113560.tif 000011